(57)【要約】【課題】原子炉圧力容器を合理的に解体撤去する。【解決手段】原子炉建屋１から原子炉圧力容器を撤去するに際し、原子炉圧力容器を複数の部分に分割し、各分割体に遮蔽密閉処置を施した後、各分割体を原子炉建屋外へ順次搬出する。原子炉圧力容器を低放射化部の分割体と高放射化部の分割体３ｃとに分割し、少なくとも高放射化部の分割体３ｃに対しては、その内部に遮蔽材を充填しかつその外側を遮蔽体７，９により被覆する遮蔽密閉処置を施す。各分割体の搬出時の重量がそれを搬出する揚重装置の能力の範囲内となるように原子炉圧力容器を分割する。【選択図】　　　図３
2004077148.tif 000002
【特許請求の範囲】
【請求項１】
原子炉建屋から原子炉圧力容器を撤去するに際し、原子炉圧力容器を複数の部分に分割し、各分割体に遮蔽密閉処置を施した後、各分割体を原子炉建屋外へ順次搬出することを特徴とする原子炉撤去工法。
【請求項２】
請求項１記載の原子炉撤去工法において、原子炉圧力容器を低放射化部の分割体と高放射化部の分割体とに分割し、少なくとも高放射化部の分割体に対しては、その内部に遮蔽材を充填しかつその外側を遮蔽体により被覆する遮蔽密閉処置を施すことを特徴とする原子炉撤去工法。
【請求項３】
請求項１または２記載の原子炉撤去工法において、各分割体の搬出時の重量がそれを搬出する揚重装置の能力の範囲内となるように原子炉圧力容器を分割することを特徴とする原子炉撤去工法。
【発明の詳細な説明】
【０００１】
【発明の属する技術分野】
本発明は、原子炉建屋から原子炉圧力容器を撤去するための工法に関する。
【０００２】
【従来の技術】
原子炉の廃止措置に伴う原子炉圧力容器の安全かつ合理的な解体撤去工法の確立が急務とされている。原子炉圧力容器（以下、圧力容器と略す）を解体撤去するには、圧力容器を細分化して逐次撤去、処分する工法が現実的であると考えられている。
【０００３】
【発明が解決しようとする課題】
しかし、現時点で検討されている工法は、１ｍ３程度の容積の処分容器に収容し得る大きさに圧力容器を細分化するというものであり、したがって膨大な手間を要するばかりでなく、細分化に伴う汚染拡大及び作業者の被ばくを防止するための十分な対策も必要となる。
【０００４】
なお、圧力容器を細分化することなくその全体を一括して原子炉建屋から撤去することも考えられるが、その際には搬出重量が１０００トンを越えるものとなるので、そのような一括搬出を可能とするためには特別かつ巨大な揚重装置の開発が不可欠となり、現時点では非常に困難である。
【０００５】
上記事情に鑑み、本発明は圧力容器を撤去するための有効な工法を提供することを目的とする。
【０００６】
【課題を解決するための手段】
請求項１の発明は、原子炉建屋から圧力容器を撤去するに際し、圧力容器を複数の部分に分割し、各分割体に遮蔽密閉処置を施した後、各分割体を原子炉建屋外へ順次搬出することを特徴とする。
【０００７】
請求項２の発明は、請求項１の発明の原子炉撤去工法において、圧力容器を低放射化部の分割体と高放射化部の分割体とに分割し、少なくとも高放射化部の分割体に対しては、その内部に遮蔽材を充填しかつその外側を遮蔽体により被覆する遮蔽密閉処置を施すことを特徴とする。
【０００８】
請求項３の発明は、請求項１または２の発明の原子炉撤去工法において、各分割体の搬出時の重量がそれを搬出する揚重装置の能力の範囲内となるように圧力容器を分割することを特徴とする。
【０００９】
【発明の実施の形態】
図１〜図３は本発明の実施形態である原子炉撤去工法の概要を示すものである。本実施形態の撤去工法は、原子炉建屋１内の圧力容器２を撤去するに際し、その圧力容器２を分割体３ａ，３ｂ，３ｃに３分割し、それら分割体３ａ，３ｂ，３ｃを順次搬出するようにしたものである。
【００１０】
すなわち、図１に示すように、圧力容器２に接続されている各種配管類４を切断して撤去した後、圧力容器２の上蓋の部分を胴部から分割してその分割体３ａを撤去する。この撤去の際にはジャッキや原子炉建屋１内に設置されている保守用の天井クレーン等の揚重装置を用いれば良い。また、撤去に際しては放射化程度に応じた所定の遮蔽密閉処置を行うこととし、必要に応じて格納容器５の上部に遮蔽バリア６（破線で示す）を設ければ良い。
【００１１】
次に、図２に示すように、圧力容器２の胴部をその上部の低放射化部と、中央部から下部の高放射化部とに２分割する。それらの分割体３ｂ，３ｃのうち、上部側の分割体３ｂは放射化程度が低くかつさして重量も大きくないので、上記の分割体３ａと同様に所定の遮蔽密閉処置、たとえば内部にモルタルを充填し切断面に鋼板で蓋をするといった処置を行った後、適宜搬出すれば良い。
【００１２】
続いて、下部の分割体３ｃを搬出するが、これは放射化程度が高いことから厳重な遮蔽が必要であるので、より高度の遮蔽密閉処置を行う。すなわち、図３に示すように分割体３ｃの外側に鋼板等の遮蔽体７を被覆し、かつ原子炉建屋１内に設けた遮蔽材充填設備８から分割体３ｃ内全体にモルタル等の遮蔽材を充填し、その開口端に鋼板等の遮蔽体９を装着して密封する。そのような遮蔽密閉処置を施した分割体３ｃは搬出重量が数百トン程度となるので、その搬出は原子炉建屋１の外部に設置した大型クレーンあるいは原子炉建屋１内に設けた多数のジャッキにより行えば良い。
【００１３】
本実施形態の撤去工法によれば、圧力容器２を僅かに３分割するにとどめ、各分割体３ａ，３ｂ，３ｃに相応の遮蔽密閉処置を施してそれら分割体３ａ，３ｂ，３ｃを順次搬出するので、圧力容器２を細分化する場合に比べてその作業効率を遙かに改善できるし、汚染拡大の懸念も少なく、したがって大幅な工期短縮と工費削減を実現することができる。また、圧力容器２全体をそのまま一括して搬出することは非現実的であるが、本実施形態のようにそれを３分割することで個々の分割体３ａ，３ｂ，３ｃはそれぞれ搬出可能な重量になり、特に高放射化部の分割体３ｃは厳重な遮蔽密閉処置を施しても汎用の揚重装置のみで搬出が可能な程度の重量に抑制することが可能であり、搬出後の搬送その他の作業も支障なく行うことができ、合理的である。
【００１４】
なお、現在、我が国の放射性廃棄物の処理シナリオでは、上記実施形態において分割した３つの分割体３ａ，３ｂ，３ｃのうち、放射化程度が低い分割体３ａ、３ｂは浅地中処分（深度１０ｍ程度）を行い、放射化程度の比較的高い分割体３ｃはやや深い地中処分（深度５０〜１００ｍ程度）を行うことになるが、本実施形態では圧力容器２の各部を放射化程度に応じて分割してそれぞれを個別に搬出することから、各分割体３ａ，３ｂ，３ｃをそれぞれの放射化程度に応じた最適処分を行うことができ、この点においても合理的である。
【００１５】
なお、圧力容器２は必ずしも３分割することに限らず、圧力容器２の形態や規模、搬出に使用する揚重装置の能力その他の条件を考慮して最適な分割を行えば良く、要は、各分割体をそれぞれの放射化程度に応じた最適かつ確実な遮蔽密閉処置や処分を行い得るように、かつ、汎用の揚重装置により支障なく搬出や搬送を行い得るように、分割数や分割位置を設定すれば良い。ただし、過度に細分化することは本発明の主旨にもとることになるので、諸条件を満たす範囲で分割数は少ない方が好ましいことは言うまでもない。
【００１６】
また、上記実施形態のように、放射化程度の高い分割体３ｃに対する遮蔽密閉処置としては、モルタル等の遮蔽材の充填と鋼板等の遮蔽体の被覆によることが比較的簡便で十分な遮蔽効果が得られるので、本発明においてはそのような遮蔽密閉処置を採用することが好ましく、かつそのような遮蔽密閉処置を行うことを前提として分割の形態を設定することが好ましいが、必ずしもそれに限るものでもなく、それぞれの分割体に対する遮蔽密閉処置はそれぞれの分割体の放射化程度や形態に応じて相応かつ適切に行えば良いことは言うまでもない。
【００１７】
【発明の効果】
請求項１の発明は、圧力容器を複数の部分に分割し、各分割体に遮蔽密閉処置を施した後、各分割体を原子炉建屋外へ順次搬出するものであるから、圧力容器を数分割するにとどめて各分割体に対して相応の遮蔽密閉処置を施すことにより、圧力容器を細分化して搬出する工法に比べてその作業効率を遙かに改善できるし、汚染拡大の懸念も少なく、作業者被ばく低減もでき、圧力容器の撤去工事の大幅な工期短縮と工費削減を実現することができる。
【００１８】
請求項２の発明は、圧力容器を低放射化部の分割体と高放射化部の分割体とに分割するので、各分割体に対してそれぞれ最適な遮蔽密閉処置と処分を行うことが可能であるし、特に高放射化部の分割体に対してはその内部にモルタル等の遮蔽材を充填しかつその外側を鋼板等の遮蔽体により被覆する遮蔽密閉処置を施すことにより、高放射化部に対して確実な遮蔽密閉処置を比較的簡便に行うことができる。
【００１９】
請求項３の発明は、各分割体の搬出時の重量がそれを搬出する揚重装置の能力の範囲内となるように圧力容器を分割するので、特別かつ巨大な揚重装置を必要とせず、各分割体の搬出後における搬送その他の作業も支障なく行うことができる。
【図面の簡単な説明】
【図１】本発明の実施形態である撤去工法の概要を示すもので、圧力容器の頂部からの分割体を撤去している状態を示す図である。
【図２】同、圧力容器の胴部を上下に２分割してその上部側の分割体を撤去している状態を示す図である。
【図３】同、下部側の分割体を撤去するに先立ち遮蔽密閉処置を施している状態を示す図である。
【符号の説明】
１　原子炉建屋
２　原子炉圧力容器
３ａ，３ｂ，３ｃ　分割体
４　各種配管類
５　格納容器
６　遮蔽バリア
７　遮蔽体
８　遮蔽材充填設備
９　遮蔽体
【図１】
2004077148.tif 000003
【図２】
2004077148.tif 000004
【図３】
2004077148.tif 000005